(57)【要約】【課題】シールド端子を抜止めする機能の信頼性向上を図る。【解決手段】シールド端子３０は、内導体３２と、内導体３２を収容する誘電体３７と、誘電体３７を包囲する外導体１０とを備え、第１ランス１４とフロントリテーナ１７と第１収容室１３とを有する第１ハウジング１０と、第２ランス２２と第２収容室２１とサイドリテーナ２５とを有する第２ハウジング２０とに対し選択的に取り付け可能である。外導体４０の外面には第１係止部４９と第２係止部５５が形成され、第１収容室１３に挿入されたシールド端子３０は、フロントリテーナ１７が第１ランス１４の弾性撓みを規制し、第１係止部４９が第１ランス１４と係止することで抜止めされる。第２収容室２１に挿入されたシールド端子３０は、第１係止部４９と第２ランス２２との係止及び第２係止部５５とサイドリテーナ２５との係止により抜止めされる。【選択図】図４
2018152173.tif 000002
【特許請求の範囲】
【請求項１】
内導体と、前記内導体を収容する誘電体と、前記誘電体を包囲する外導体とを備えて構成され、
弾性撓み可能な第１ランスと前記第１ランスの弾性撓みを規制可能なフロントリテーナと第１収容室とを有する第１ハウジングと、弾性撓み可能な第２ランスと第２収容室と前記第２収容室に臨むサイドリテーナとを有する第２ハウジングとに対し選択的に取り付け可能なシールド端子であって、
前記外導体の外面には第１係止部と第２係止部とが形成されており、
前記シールド端子が前記第１収容室に挿入された状態では、前記フロントリテーナが前記第１ランスの弾性撓みを規制し、前記第１係止部が前記第１ランスと係止することで、前記シールド端子が抜止めされ、
前記シールド端子が前記第２収容室に挿入された状態では、前記第１係止部と前記第２ランスとの係止及び前記第２係止部と前記サイドリテーナとの係止により前記シールド端子が抜止めされるようになっていることを特徴とするシールド端子。
【請求項２】
前記第１係止部と前記第２係止部が、前記外導体の外面のうち、前記第１収容室及び前記第２収容室への挿入方向と交差する方向に関して反対側の領域に配されていることを特徴とする請求項１記載のシールド端子。
【請求項３】
前記外導体の外面のうち前記第２係止部が配されている領域には、前記第１収容室又は前記第２収容室に挿入された前記シールド端子が正規挿入位置を超えて移動することを規制する前止まり部が形成されていることを特徴とする請求項２記載のシールド端子。
【請求項４】
内導体を誘電体に収容し、前記誘電体を外導体で包囲した形態のシールド端子を、第１ハウジングに形成した第１収容室と第２ハウジングに形成した第２収容室のうちいずれかの前記収容室に選択的に挿入されることで構成されるものであり、
前記第１収容室に形成された弾性撓み可能な第１ランスと、
前記第１ハウジングに取り付けられることで、前記第１ランスの弾性撓みを規制するフロントリテーナと、
前記第２収容室に形成された弾性撓み可能な第２ランスと、
前記第２収容室内に臨むように前記第２ハウジングに取り付けられるサイドリテーナと、
前記外導体の外面に形成され、前記シールド端子が前記第１収容室に挿入されたときには前記第１ランスと係止することで前記シールド端子を抜止めし、前記シールド端子が前記第２収容室に挿入されたときには前記第２ランスと係止することで前記シールド端子を抜止めする第１係止部と、
前記外導体の外面に形成され、前記シールド端子が前記第２収容室に挿入されたときには前記サイドリテーナと係止することで前記シールド端子を抜止めする第２係止部とを備えていることを特徴とするシールドコネクタ。
【発明の詳細な説明】
【技術分野】
【０００１】
本発明は、シールド端子及びシールドコネクタに関するものである。
【背景技術】
【０００２】
特許文献１には、内導体端子を誘電体に収容した端子ユニットと、端子ユニットを包囲することでシールド端子を構成する外導体と、シールド端子を収容するハウジングとを備えたシールドコネクタが開示されている。この種のシールドコネクタにおいて、ハウジングに挿入したシールド端子を抜止め状態に保持する手段として、ハウジングに形成した弾性撓み可能なランスを、外導体の外面に形成した係止突起に係止させる構造が考えられる。
【先行技術文献】
【特許文献】
【０００３】
【特許文献１】特開２０１２−１２９１０３号公報
【発明の概要】
【発明が解決しようとする課題】
【０００４】
ランスは弾性撓み可能であることから、衝撃や振動等によって係止突起から解離することが懸念される。そのため、シールド端子を抜止めする機能の信頼性向上を図ることが望まれる。
【０００５】
本発明は上記のような事情に基づいて完成されたものであって、シールド端子を抜止めする機能の信頼性向上を図ることを目的とする。
【課題を解決するための手段】
【０００６】
第１の発明のシールド端子は、
内導体と、前記内導体を収容する誘電体と、前記誘電体を包囲する外導体とを備えて構成され、
弾性撓み可能な第１ランスと前記第１ランスの弾性撓みを規制可能なフロントリテーナと第１収容室とを有する第１ハウジングと、弾性撓み可能な第２ランスと第２収容室と前記第２収容室に臨むサイドリテーナとを有する第２ハウジングとに対し選択的に取り付け可能なシールド端子であって、
前記外導体の外面には第１係止部と第２係止部とが形成されており、
前記シールド端子が前記第１収容室に挿入された状態では、前記フロントリテーナが前記第１ランスの弾性撓みを規制し、前記第１係止部が前記第１ランスと係止することで、前記シールド端子が抜止めされ、
前記シールド端子が前記第２収容室に挿入された状態では、前記第１係止部と前記第２ランスとの係止及び前記第２係止部と前記サイドリテーナとの係止により前記シールド端子が抜止めされるようになっているところに特徴を有する。
【０００７】
第２の発明のシールドコネクタは、
内導体を誘電体に収容し、前記誘電体を外導体で包囲した形態のシールド端子を、第１ハウジングに形成した第１収容室と第２ハウジングに形成した第２収容室のうちいずれかの前記収容室に選択的に挿入されることで構成されるものであり、
前記第１収容室に形成された弾性撓み可能な第１ランスと、
前記第１ハウジングに取り付けられることで、前記第１ランスの弾性撓みを規制するフロントリテーナと、
前記第２収容室に形成された弾性撓み可能な第２ランスと、
前記第２収容室内に臨むように前記第２ハウジングに取り付けられるサイドリテーナと、
前記外導体の外面に形成され、前記シールド端子が前記第１収容室に挿入されたときには前記第１ランスと係止することで前記シールド端子を抜止めし、前記シールド端子が前記第２収容室に挿入されたときには前記第２ランスと係止することで前記シールド端子を抜止めする第１係止部と、
前記外導体の外面に形成され、前記シールド端子が前記第２収容室に挿入されたときには前記サイドリテーナと係止することで前記シールド端子を抜止めする第２係止部とを備えているところに特徴を有する。
【発明の効果】
【０００８】
第１収容室にシールド端子を挿入したときは、第１係止部を第１ランスに係止させるとともに、フロントリテーナを第１ハウジングに取り付けてランスの弾性撓みを規制することで、シールド端子を確実に抜止めすることができる。第２収容室にシールド端子を挿入したときには、第１係止部を第２ランスに係止させるとともに、第２係止部にサイドリテーナを係止させることで、シールド端子を確実に抜止めすることができる。シールド端子は、タイプの異なる第１ハウジングと第２ハウジングに対して共通の部材として使用することができる。
【図面の簡単な説明】
【０００９】
【図１】実施例１の第２シールドコネクタにおいて第２ハウジングとシールド端子を分離した状態を斜め上から見た斜視図
【図２】第２シールドコネクタにおいて第２ハウジングとシールド端子を分離した状態を斜め下から見た斜視図
【図３】第２シールドコネクタにおいてサイドリテーナが仮係止位置にある状態をあらわす側断面図
【図４】第２シールドコネクタにおいてサイドリテーナが本係止位置にある状態をあらわす側断面図
【図５】サイドリテーナの斜視図
【図６】第１シールドコネクタにおいて第１ハウジングとシールド端子を分離した状態をあらわす斜視図
【図７】第１シールドコネクタにおいてフロントリテーナが本係止位置にある状態をあらわす側断面図
【図８】第１シールドコネクタにおいてフロントリテーナが仮係止位置にある状態をあらわす側断面図
【図９】ツイストペア線に内導体を接続した状態の斜視図
【図１０】シールド端子の側断面図
【図１１】第１シェルの斜視図
【図１２】第２シェルの斜視図
【図１３】第２シェルの上下反転状態の斜視図
【発明を実施するための形態】
【００１０】
第１及び第２の発明は、前記第１係止部と前記第２係止部が、前記外導体の外面のうち、前記第１収容室及び前記第２収容室への挿入方向と交差する方向に関して反対側の領域に配されていてもよい。
この構成によれば、第１係止部と第２係止部が別々の領域に配されているので、第１係止部と第２係止部の形状や配置等設計する際の自由度が高い。
【００１１】
第１及び第２の発明は、前記外導体の外面のうち前記第２係止部が配されている領域には、前記第１収容室又は前記第２収容室に挿入された前記シールド端子が正規挿入位置を超えて移動することを規制する前止まり部が形成されていてもよい。
この構成によれば、第２係止部が形成されている領域は、第１ランスや第２ランスが弾性的に当接しないので、前止まり部を形成しても、第１ランスや第２ランスとの弾性的な干渉に起因する挿入抵抗が生じることはない。
【００１２】
＜実施例１＞
以下、本発明を具体化した実施例１を図１〜図１３を参照して説明する。尚、以下の説明において、前後の方向については、図１〜４，６〜１３における左方を前方と定義する。上下の方向については、図１〜４，６〜１２にあらわれる向きを、そのまま上方、下方と定義する。
【００１３】
本実施例１のシールド端子３０は、第１ハウジング１０に取り付けられることで防水タイプの第１シールドコネクタＡ（請求項に記載のシールドコネクタ）を構成するとともに、第２ハウジング２０に取り付けられることで非防水タイプの第２シールドコネクタＢ（請求項に記載のシールドコネクタ）を構成する。
【００１４】
第１ハウジング１０は、合成樹脂製であり、図７，８に示すように、収容部１１と、収容部１１の外周から前方へ且つ収容部１１を全周に亘って包囲する筒状嵌合部１２とを有する単一部品である。収容部１１の内部には第１収容室１３が形成されている。第１収容室１３には、第１ハウジング１０の後方からシールド端子３０が挿入されるようになっている。第１収容室１３の内部上面には、前方へ片持ち状に延出した形態であって上方へ弾性撓み可能な第１ランス１４が形成されている。第１収容室１３の内部下面には、段差状の第１ストッパ１５が形成されている。
【００１５】
収容部１１には、第１ランス１４が上方へ弾性撓みすることを許容するための撓み空間１６が形成されている。収容部１１には、第１ハウジング１０の前方からフロントリテーナ１７が取り付けられている。収容部１１に取り付けたフロントリテーナ１７は、図６，８に示すように、撓み空間１６の前方へ退避して第１ランス１４の弾性撓みを許容する仮係止位置と、図７に示すように、撓み空間１６内に進出して第１ランス１４の弾性撓みを規制する本係止位置との間で前後方向に移動可能となっている。
【００１６】
撓み空間１６は、収容部１１の外周面には開口せず、収容部１１の前端面に開口している。また、収容部１１の外周後端部にはシールリング１８が取り付けられている。収容部１１の外周と筒状嵌合部１２の内周との間にフード状の相手側ハウジング（図示省略）が嵌合すると、収容部１１と相手側ハウジングとの間はシールリング１８によって防水される。
【００１７】
第２ハウジング２０は、合成樹脂製である。図３，４に示すように、第２ハウジング２０の内部には、第２収容室２１が形成されている。第２収容室２１には、第２ハウジング２０の後方からシールド端子３０が挿入されるようになっている。第２収容室２１の内部上面には、前方へ片持ち状に延出した形態であって上方へ弾性撓み可能な第２ランス２２が形成されている。第２収容室２１の内部下面には、段差状の第２ストッパ２３が形成されている。
【００１８】
第２ハウジング２０には、その下面（外面）から第２収容室２１内に連通する取付孔２４が形成されている。取付孔２４には、サイドリテーナ２５が取り付けられている。取付孔２４に取り付けたサイドリテーナ２５は、図３に示すように、第２収容室２１の外部へ退避した仮係止位置と、図４に示すように、第２収容室２１内に進出した本係止位置との間で上下方向（第２収容室２１に対するシールド端子３０の挿抜方向と交差する方向）に移動し得るようになっている。
【００１９】
シールド端子３０は、自動車のイーサネット（登録商標）高速通信回路用のワイヤーハーネスを構成する接続部材である。シールド端子３０は、端子ユニット３１を、金属材料からなる角筒状の外導体４０で包囲した形態である。端子ユニット３１は、一対の内導体３２を誘電体３７に収容して構成されている。
【００２０】
内導体３２は、全体として前後方向に細長い形状である。内導体３２の前端部には、角筒状の本体部３３が形成されている。本体部３３内には、内導体３２の前方からタブ状の相手側導体（図示省略）が挿入され、相手側導体と内導体３２が導通可能に接続されるようになっている。内導体３２の後端部に形成したオープンバレル状の圧着部３４には、電線３５の前端部が導通可能に固着されている。２つの内導体３２に接続された一対の電線３５はツイストペア線３６を構成する。誘電体３７は、半割状をなす合成樹脂製の第１部品３８と、半割状をなす合成樹脂製の第２部品３９とを、上下方向（電線３５の前端部のの軸線と交差する方向）に合体させて構成されている。
【００２１】
外導体４０は、半割状の第１シェル４１と半割状の第２シェル４２を、端子ユニット３１を挟むように合体させて構成されている。外導体４０の後端部に形成した第１バレル部４３及び第２バレル部４４は、ツイストペア線３６の編組線４５に導通可能に固着される。ツイストペア線３６に固着されたシールド端子３０は、第１ハウジング１０及び第２ハウジング２０に対し後方から挿入されることによって組み付けられている。
【００２２】
第１シェル４１は、前後方向に細長い上板部４６と、上板部４６の左右両側縁における前端部から下方へ延出した左右一対の係止片４７と、上板部４６の左右両側縁における後端部から下方へ延出した左右一対のロック片４８とを有する。第１シェル４１の後端部には、オープンバレル状の第１バレル部４３が形成されている。
【００２３】
上板部４６の上面（外面）には、突起状をなす第１係止部４９が一体に形成されている。第１係止部４９は、上板部４６の一部を上方へ切り起こして形成されている。第１係止部４９は、前後方向においては上板部４６の略中央部であり、左右方向においては上板部４６の中央に配されている。第１係止部４９の前端部には、前後方向（ハウジングに対するシールド端子３０の挿入方向）に対して傾斜した傾斜面５０が形成されている。第１係止部４９の切起し面である後端面は、前後方向に対して略直角な係止面となっている。
【００２４】
第２シェル４２は、前後方向に細長い底板部５１と、底板部５１の左右両側縁から下方へ延出した左右一対の側板部５２とを有している。左右両側板部５２の前端部内面には、左右一対の係止突起５３が形成され、左右両側板部５２の後端部内面には、左右一対のロック突起５４が形成されている。第２シェル４２の後端部には、オープンバレル状の第２バレル部４４が形成されている。
【００２５】
底板部５１の下面（外面）には、第２係止部５５と、前止まり部５６とが形成されている。第２係止部５５は、底板部５１の一部を切り起こして形成されており、第２係止部５５の切起し面である後端面は、前後方向に対して略直角な係止面となっている。第２係止部５５は、前後方向においては底板部５１の中央より後方の位置に配され、左右方向においては底板部５１の中央位置に配されている。
【００２６】
前止まり部５６は、底板部５１の一部を切り起こして形成されており、前止まり部５６の切起し面である前端面は、前後方向に対して略直角な前止まり面となっている。前止まり部５６は、前後方向においては、第２係止部５５の前方近傍位置に配され、左右方向においては底板部５１の中央位置に配されている。
【００２７】
第１シェル４１と第２シェル４２を組み付ける際には、第１シェル４１の係止片４７とロック片４８を第２シェル４２の側板部５２の内面に沿わせるようにして、合体させる。合体した第１シェル４１と第２シェル４２、係止片４７と係止突起５３との形成し、及びロック片４８とロック突起５４との係止により合体状態に保持される。第１シェル４１と第２シェル４２の組付け方向は、電線３５の前端部の軸線と略直角に交差する方向である。第１シェル４１と第２シェル４２を合体すると、外導体４０が構成されるとともに、外導体４０内に端子ユニット３１が収容された状態に組付けられ、シールド端子３０の組付けが完了する。
【００２８】
シールド端子３０を第１ハウジング１０に取り付ける際には、予め、ツイストペア線３６の外周にゴム栓１９を取り付けておき、フロントリテーナ１７を仮係止位置に保持した状態で、シールド端子３０を第１ハウジング１０の後方から第１収容室１３に挿入する。シールド端子３０の挿入過程では、第１係止部４９の傾斜面５０が第１ランス１４を弾性撓みさせる。
【００２９】
シールド端子３０が正規挿入されると、前止まり部５６が第１ストッパ１５に突き当たることでシールド端子３０が前止まりされるとともに、第１係止部４９が第１ランス１４に係止することで、シールド端子３０が第１ハウジング１０に対し抜止めされる。また、第１収容室１３の後端の開口がゴム栓１９によって液密状に閉塞される。以上により、シールド端子３０が一次係止される。
【００３０】
シールド端子３０を正規挿入した後、仮係止位置のフロントリテーナ１７を、本係止位置へ押し込み、撓み空間１６内に進出させる。これにより、第１ランス１４が第１係止部４９から解離する方向への弾性撓みを規制されるので、シールド端子３０は、二次係止状態となる。このように、シールド端子３０は、第１ランス１４による一次係止とフロントリテーナ１７による二次係止により、確実に抜止めされる。
【００３１】
シールド端子３０を第２ハウジング２０に取り付ける際には、サイドリテーナ２５を仮係止位置に保持した状態で、シールド端子３０を第２収容室２１に挿入する。シールド端子３０の挿入過程では、第１係止部４９の傾斜面５０が第２ランス２２を弾性撓みさせる。シールド端子３０が正規挿入されると、前止まり部５６が第２ストッパ２３に突き当たることでシールド端子３０が前止まりされるとともに、第１係止部４９が第２ランス２２に係止することで、シールド端子３０が第２ハウジング２０に対し抜止めされる。以上により、シールド端子３０が一次係止される。
【００３２】
シールド端子３０を正規挿入した後、仮係止位置のサイドリテーナ２５を、本係止位置へ押し込み、第２収容室２１内に進出させる。これにより、サイドリテーナ２５が第２係止部５５に対し後方から係止するので、シールド端子３０は、二次係止状態となる。このように、シールド端子３０は、第２ランス２２による一次係止とサイドリテーナ２５による二次係止により、確実に抜止めされる。
【００３３】
本実施例１の第１シールドコネクタＡは、端子ユニット３１を外導体４０内に収容した形態のシールド端子３０を、第１ハウジング１０に形成した第１収容室１３に挿入されることで構成されている。また、第２シールドコネクタＢは、シールド端子３０を、第２ハウジング２０に形成した第２収容室２１に挿入されることで構成されている。つまり、シールド端子３０は、第１ハウジング１０と第２ハウジング２０とに対し選択的に取り付けられるようになっている。換言すると、シールド端子３０は、第１ハウジング１０と第２ハウジング２０の双方に取付け可能であり、且つ必要に応じて第１ハウジング１０と第２ハウジング２０のうちいずれか一方に取り付けるようにしたものである。
【００３４】
第１ハウジング１０は、弾性撓み可能な第１ランス１４と、第１ランス１４の弾性撓みを規制可能なフロントリテーナ１７と、第１収容室１３とを有している。第２ハウジング２０は、弾性撓み可能な第２ランス２２と、第２収容室２１と、第２収容室２１に臨むサイドリテーナ２５とを有している。
【００３５】
外導体４０の外面には第１係止部４９と第２係止部５５とが形成されている。シールド端子３０が第１収容室１３に挿入された状態では、第１係止部４９が第１ランス１４に係止するとともに、フロントリテーナ１７が第１ランス１４の弾性撓みを規制し、以上により、シールド端子３０が確実に抜止めされる。また、シールド端子３０が第２収容室２１に挿入された状態では、第１係止部４９と第２ランス２２との係止及び第２係止部５５とサイドリテーナ２５との係止により、シールド端子３０が確実に抜止めされる。
【００３６】
このように、本実施例１のシールド端子３０は、第１ハウジング１０と第２ハウジング２０のいずれに取り付けた場合でも、シールド端子３０を抜止めする機能の信頼性に優れている。また、シールド端子３０は、タイプの異なる防水用の第１ハウジング１０と非防水用第２ハウジング２０に対して共通の部材として使用することができる。
【００３７】
また、第１係止部４９と第２係止部５５は、外導体４０の外面のうち、第１収容室１３及び第２収容室２１への挿入方向と交差する上下方向に関して反対側の領域に配されている。この構成によれば、第１係止部４９と第２係止部５５が別々の領域に配されているので、第１係止部４９と第２係止部５５の形状や配置等設計する際の自由度が高い。
【００３８】
また、外導体４０の外面のうち第２係止部５５が配されている領域（底板部５１の外面）には、第１収容室１３又は第２収容室２１に挿入されたシールド端子３０が正規挿入位置を超えて移動することを規制する前止まり部５６が形成されている。この構成によれば、第２係止部５５が形成されている領域（底板部５１の外面）は、第１ランス１４や第２ランス２２が弾性的に当接しないので、前止まり部５６を形成しても、前止まり部５６が第１ランス１４や第２ランス２２と弾性的に干渉することに起因する挿入抵抗が生じることはない。
【００３９】
＜他の実施例＞
本発明は上記記述及び図面によって説明した実施例に限定されるものではなく、例えば次のような実施例も本発明の技術的範囲に含まれる。
（１）上記実施例１では、第１係止部と第２係止部を外導体の外面の互いに反対側の領域に配したが、第１係止部と第２係止部を、外導体の外面における同一平面上に配してもよい。
（２）上記実施例１では、第１係止部の数を１つだけとしたが、第１係止部の数は２つ以上でもよい。
（３）上記実施例１では、第２係止部の数を１つだけとしたが、第２係止部の数は２つ以上でもよい。
（４）上記実施例１では、前止まり部の数を１つだけとしたが、前止まり部の数は２つ以上でもよい。
（５）上記実施例では、第２係止部と前止まり部を独立した突起状としたが、第２係止部と前止まり部を１つの突起部に一体に形成してもよい。
（６）上記実施例１では、１つの誘電体に２つの内導体を収容したが、１つの誘電体に収容する内導体の数は、１つ又は３つ以上であってもよい。
（７）上記実施例１では、外導体が第１シェルと第２シェルとの２部品で構成されているが、外導体は単一部品であってもよい。
（８）上記実施例１では、一対の内導体に接続した２本の電線がツイストペア線を構成するものであるが、本発明は、内導体に接続する電線がツイストペア線を構成しない場合にも適用できる。
【符号の説明】
【００４０】
Ａ…第１シールドコネクタ（シールドコネクタ）
Ｂ…第２シールドコネクタ（シールドコネクタ）
１０…第１ハウジング
１３…第１収容室
１４…第１ランス
１７…フロントリテーナ
２０…第２ハウジング
２１…第２収容室
２２…第２ランス
２５…サイドリテーナ
３０…シールド端子
３２…内導体
３７…誘電体
４０…外導体
４９…第１係止部
５５…第２係止部
５６…前止まり部
【図１】
2018152173.tif 000003
【図２】
2018152173.tif 000004
【図３】
2018152173.tif 000005
【図４】
2018152173.tif 000006
【図５】
2018152173.tif 000007
【図６】
2018152173.tif 000008
【図７】
2018152173.tif 000009
【図８】
2018152173.tif 000010
【図９】
2018152173.tif 000011
【図１０】
2018152173.tif 000012
【図１１】
2018152173.tif 000013
【図１２】
2018152173.tif 000014
【図１３】
2018152173.tif 000015